(57)【要約】本発明による装置は、一体式ネジ回し（２）を有するネジ（１）から成る。ネジ（１）は、ネジ山（４）を有するネジ軸部（３）と、ネジ山（８）を有するネジ頭（５）と、長手方向軸（６）とを有する。ネジ回し（２）は、長手方向軸（６）に対して同軸に所定の切断予定面（７）を介してネジ頭（５）と接続されている。ネジの締付けに際しては、一体式ネジ回しは所定の切断予定面において切断され、ここで剪断モーメントは所定の切断予定面の選択された寸法によって規定されている。本発明による一体式ネジ回しを有するネジは、きわめて小さな寸法のネジも簡単に保持し、骨プレート（１２）のプレート穴（１３）へ十分に誘導されて角度安定にネジ込むことを可能にする。一体式ネジ回しの同軸の配置およびネジ頭との安定した接続によって、ネジ（１）は長手方向軸の周りのあらゆる任意の位置で受入れられうるとともに、ネジ回しの位置が留意される必要がない。
2006514233.tif 000002
【特許請求の範囲】
【請求項１】
一体式ネジ回し（２）を有するネジ（１）であって、
Ａ）前記ネジ（１）がネジ山（４）を有するネジ軸部（３）と、ネジ頭（５）と、長手方向軸（６）とを有し、かつ
Ｂ）前記ネジ回し（２）が前記長手方向軸（６）に対して同軸に所定の切断予定面（７）を介して前記ネジ頭（５）と接続されている一体式ネジ回し（２）を有するネジ（１）において、
Ｃ）前記ネジ頭（５）が外側ネジ山（８）を有することを特徴とする一体式ネジ回し（２）を有するネジ（１）。
【請求項２】
前記ネジ頭（５）が前記ネジ回し（２）の方向に円錐状に拡大することを特徴とする請求項１に記載の一体式ネジ回し（２）を有するネジ（１）。
【請求項３】
前記ネジ軸部（３）の前記ネジ山（４）が自己切断するように形成されていることを特徴とする請求項１または２に記載の一体式ネジ回し（２）を有するネジ（１）。
【請求項４】
その自由端（１１）においてネジ溝（１０）が設置されていることを特徴とする請求項１〜３のいずれか１つに記載の一体式ネジ回し（２）を有するネジ（１）。
【請求項５】
前記ネジ（１）が骨ネジであることを特徴とする請求項１〜４のいずれか１つに記載の一体式ネジ回し（２）を有するネジ（１）。
【請求項６】
前記ネジ（１）が２．０ｍｍよりも小さい、好ましくは、１．０ｍｍよりも小さい直径を有することを特徴とする請求項１〜５のいずれか１つに記載の一体式ネジ回し（２）を有するネジ（１）。
【請求項７】
前記ネジ軸部（３）と前記ネジ頭（５）との間にネジ山アンダーカット（９）が配置されていることを特徴とする請求項１〜６のいずれか１つに記載の一体式ネジ回し（２）を有するネジ（１）。
【請求項８】
前記所定の切断予定面（７）が、前記ネジ山アンダーカットの直径よりも小さい直径を有することを特徴とする請求項７に記載の一体式ネジ回し（２）を有するネジ（１）。
【請求項９】
前記所定の切断予定面（７）が、前記ネジ軸部（３）の前記ネジ山（４）の外径の６０〜８２％、好ましくは、６６〜７５％の直径を有することを特徴とする請求項１〜８のいずれか１つに記載の一体式ネジ回し（２）を有するネジ（１）。
【請求項１０】
前記所定の切断予定面（７）が、０．２５〜０．５ｍｍ、好ましくは、０．３２〜０．３８ｍｍの直径を有することを特徴とする請求項１〜９のいずれか１つに記載の一体式ネジ回し（２）を有するネジ（１）。
【請求項１１】
前記ネジ軸部（５）の外側ネジ山（８）が多段式、好ましくは、２段式に形成されていることを特徴とする請求項１〜１０のいずれか１つに記載の一体式ネジ回し（２）を有するネジ（１）。
【請求項１２】
前記ネジ軸部（３）の前記ネジ山（４）に対応する内側ネジ山（１４）を備えている少なくとも１つのプレート穴（１３）を有することを特徴とする、請求項１〜１１のいずれか１つに記載の少なくとも１つのネジ（１）付きの骨プレート（１２）。
【発明の詳細な説明】
【技術分野】
【０００１】
本発明は、特許請求の範囲第１項の前文による一体式ネジ回しを有するネジに関する。
【背景技術】
【０００２】
特に、例えば骨接合術において使用される小さな寸法のネジにおいては、安全な操作、保持、および誘導の問題が生じる。すでにより小さなネジの把握は、特に、例えば骨外科において生じる厳しい課題に際して、きわめて困難になりうる。
別の問題点は、通常のネジ回しでは回転モーメントの制御が不可能であることである。あらかじめ規定された回転モーメントで使用されうるために、特殊な回転モーメントネジ回しが必要である。
【発明の開示】
【０００３】
この点で本発明は改善を提供することになる。本発明の課題は、所定の切断予定面を介して一体化されたネジ回しを有する角度安定に固定可能なネジを提供し、ネジがあらかじめ規定された回転モーメントで簡単かつ確実に角度安定にネジ込まれうることである。
【０００４】
本発明は、請求項１の特徴を有するネジによって上記の課題を解決する。
対応する（円筒状または円錐状の）内側ネジ山とプレート穴において対応するネジ頭に設置された外側ネジ山によって、プレートは骨へ押付けられず、ネジは確実かつ角度安定にプレートに固定され、固定された状態のままであることも保証される。これは、ネジ頭が摩擦力によってのみ固着し、したがって、嵌合ロックを有さない滑りやすい円錐状のネジ頭の実施例とは対照的である。摩擦力のみに基づく摩擦嵌合は、ネジの締付けに際して骨の陽性支持反応によって生じ、ネジの負荷によって再び緩みうる不利点を有する。
ネジの締付けに際しては、一体式ネジ回しは所定の切断予定面において切断され、ここで剪断モーメントは所定の切断予定面の選択された寸法によって規定されている。
【０００５】
本発明による一体式ネジ回しを有するネジは、きわめて小さな寸法のネジも簡単に保持し、例えば、骨プレートの穴へ十分に誘導されてネジ込むことを可能にする。一体式ネジ回しの同軸の配置およびネジ頭との安定した接続によって、ネジは長手方向軸の周りのあらゆる任意の位置で受入れられうるとともに、ネジ回しの位置に留意する必要がない。
【０００６】
本発明の他の有利な構成は従属クレームにおいて特徴付けられている。
特定の実施形態においては、ネジ頭はネジ回しの方向に円錐状に拡大し、これにより対応する円錐状のプレート穴を有する骨プレートにおけるネジ頭の角度安定の固定が可能となる。
好ましくは、ネジ軸部のネジ山は、その自由端において、すなわちネジ先端部において、実質的にネジの長手方向軸に対して平行に走る、対応するネジ溝が設置されることによって自己切断するように形成されている。
【０００７】
本発明による装置は、通常、直径が２．０ｍｍよりも小さい、好ましくは、１．０ｍｍよりも小さい小さな寸法のネジに特に適している。
ネジ軸部とネジ頭との間に配置されたネジ山アンダーカットの直径がより大きいという、切断予定面のその有利な直径が示されるべきである。
特定の実施形態においては、所定の切断予定面は、ネジ山の外径の６０〜８２％、好ましくは６６〜７５％の直径を有する。絶対数では、所定の切断予定面は、０．２５〜０５ｍｍ、好ましくは、０．３２〜０．３８ｍｍの直径を有しうる。
一体式ネジ回しを有するネジはカップリングを介して機械的駆動部と接続されうる。この駆動部は手動で動作可能なハンドルまたはモーターで動作可能な機械のいずれかでありうる。
本発明および本発明の展開を以下、実施例の部分的な概略図を用いて詳細に述べる。
【０００８】
（図面の簡単な説明）
図１は、一体式ネジ回しを有するネジを示す斜視図である。
図２は、一体式ネジ回しを有するネジを示す縦断面図である。
図３は、図１によるネジを受入れる骨プレートを示す斜視図である。
【発明を実施するための最良の形態】
【０００９】
図１および２に示されているネジ１および一体式ネジ回し２は、共通の長手方向軸６を有する。骨ネジとして形成されたネジ１は、２．６ｍｍの長さを有し、ネジ山４とともに長さ１．３ｍｍのネジ軸部３、および外側ネジ山８とともに長さ１．１ｍｍに円錐状のネジ頭５を有する。ネジ軸部３とネジ頭５との間にネジ山アンダーカット９が配置されている。ネジ軸部３のネジ山４は、ネジ溝１０によって自己切断するように形成されている。ネジ回し２は長さが４．９ｍｍであり、所定の切断点７を介してネジ頭５と接続されている。所定の切断予定面は０．３５ｍｍの直径を有する。
ネジ１は図３に示された骨プレート１２のプレート穴１３へ導入されうる。ネジ１の外側ネジ山８に対応するプレート１３の内側ネジ山１４は、骨プレート１２に対してネジ１の角度安定の固定をもたらす。内側ネジ山１４およびそれに対応する外側ネジ山８も多段式、好ましくは２段式に形成されうる。
【図面の簡単な説明】
【００１０】
【図１】一体式ネジ回しを有するネジを示す斜視図である。
【図２】一体式ネジ回しを有するネジを示す縦断面図である。
【図３】図１によるネジを受入れる骨プレートを示す斜視図である。
【符号の説明】
【００１１】
１  ネジ    ２  一体式ネジ回し    ３  ネジ軸部    ４  ネジ山
５  ネジ頭    ６  長手方向軸    ７  切断予定面    ８  外側ネジ山
９  ネジ山アンダーカット    １０  ネジ溝    １１  自由端
１２  骨プレート    １３  プレート穴    １４  内側ネジ山
【図１】
2006514233.tif 000003
【図２】
2006514233.tif 000004
【図３】
2006514233.tif 000005
【手続補正書】
【提出日】平成17年4月4日(2005.4.4)
【手続補正１】
【補正対象書類名】特許請求の範囲
【補正対象項目名】全文
【補正方法】変更
【補正の内容】
【特許請求の範囲】
【請求項１】
一体式ネジ回し（２）を有するネジ（１）であって、
Ａ）前記ネジ（１）がネジ山（４）を有するネジ軸部（３）と、ネジ頭（５）と、長手方向軸（６）とを有し、かつ
Ｂ）前記ネジ回し（２）が前記長手方向軸（６）に対して同軸に所定の切断予定面（７）を介して前記ネジ頭（５）と接続されている一体式ネジ回し（２）を有するネジ（１）において、
Ｃ）前記ネジ頭（５）が外側ネジ山（８）を有することを特徴とする一体式ネジ回し（２）を有するネジ（１）であり、
Ｄ）前記ネジ頭（５）が前記ネジ回し（２）の方向に円錐状に拡大することを特徴する一体式ネジ回し（２）を有するネジ（１）であり、
Ｅ）前記ネジ軸部（３）と前記ネジ頭（５）との間にネジ山アンダーカット（９）が配置されていることを特徴とする一体式ネジ回し（２）を有するネジ（１）。
【請求項２】
前記ネジ軸部（３）の前記ネジ山（４）が自己切断するように形成されていることを特徴とする請求項１に記載の一体式ネジ回し（２）を有するネジ（１）。
【請求項３】
その自由端（１１）においてネジ溝（１０）が設置されていることを特徴とする請求項１または２に記載の一体式ネジ回し（２）を有するネジ（１）。
【請求項４】
前記ネジ（１）が骨ネジであることを特徴とする請求項１〜３のいずれか１つに記載の一体式ネジ回し（２）を有するネジ（１）。
【請求項５】
前記ネジ（１）が２．０ｍｍよりも小さい直径を有することを特徴とする請求項１〜４のいずれか１つに記載の一体式ネジ回し（２）を有するネジ（１）。
【請求項６】
前記ネジ（１）が１．０ｍｍよりも小さい直径を有することを特徴とする請求項５に記載の一体式ネジ回し（２）を有するネジ（１）。
【請求項７】
前記所定の切断予定面（７）が、前記ネジ山アンダーカットの直径よりも小さい直径を有することを特徴とする請求項１に記載の一体式ネジ回し（２）を有するネジ（１）。
【請求項８】
前記所定の切断予定面（７）が、前記ネジ軸部（３）の前記ネジ山（４）の外径の６０〜８２％、好ましくは、６６〜７５％の直径を有することを特徴とする請求項１〜７のいずれか１つに記載の一体式ネジ回し（２）を有するネジ（１）。
【請求項９】
前記所定の切断予定面（７）が、０．２５〜０．５ｍｍ、好ましくは、０．３２〜０．３８ｍｍの直径を有することを特徴とする請求項１〜８のいずれか１つに記載の一体式ネジ回し（２）を有するネジ（１）。
【請求項１０】
前記ネジ軸部（５）の外側ネジ山（８）が多段式、好ましくは、２段式に形成されていることを特徴とする請求項１〜９のいずれか１つに記載の一体式ネジ回し（２）を有するネジ（１）。
【請求項１１】
前記ネジ軸部（３）の前記ネジ山（４）に対応する内側ネジ山（１４）を備えている少なくとも１つのプレート穴（１３）を有することを特徴とする、請求項１〜１０のいずれか１つに記載の少なくとも１つのネジ（１）付きの骨プレート（１２）。
【国際調査報告】
2006514233.tif 000006
2006514233.tif 000007
2006514233.tif 000008
2006514233.tif 000009